【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
所有者により携帯可能な本体に、外部との通信を行う通信装置（４）及び情報を表示する表示装置（５）を備えてなる携帯通信端末（２，３２）であって、
自機の位置を検出する自機位置検出手段（６，７）と、
前記所有者と共にグループを構成する他のメンバーの所持する携帯通信端末（２，３２）の位置情報であるメンバー位置情報を、前記通信装置（４）を介して取得する位置情報取得手段（６）と、
前記自機位置検出手段（６，７）の検出した自機位置情報及び前記位置情報取得手段（６）の取得したメンバー位置情報に基づき、前記表示装置（５）の画面上に、前記グループメンバーの各携帯通信端末（２，３２）の位置を地図と共に表示する共有位置情報表示処理を行う表示制御手段（６）と、
前記自機位置とメンバー位置情報とから、自機と各メンバーの携帯通信端末（２，３２）との間の離間距離を夫々算出する離間距離算出手段（６）とを備え、
前記表示制御手段（６）は、前記共有位置情報表示処理を行う際に、表示すべき各携帯通信端末（２，３２）を特定し、当該特定した携帯通信端末（２，３２）の位置を全て表示可能な所定の縮尺で前記地図を表示調整すると共に、
前記共有位置情報表示処理において、前記自機以外の表示すべき複数のメンバーの携帯通信端末（２，３２）が存在する場合に、当該自機と最寄りの第２のメンバーの携帯通信端末（２，３２）と間の離間距離に対し、自機と別の第３のメンバーの携帯通信端末（２，３２）との間の離間距離が所定値よりも大きいときには、当該第３のメンバーの携帯通信端末（２，３２）の位置を表示対象から外す、或いは吹き出しによる表示又はリスト表示による別形態での表示を行うことを特徴とする携帯通信端末。
【請求項２】
所有者により携帯可能な本体に、外部との通信を行う通信装置（４）及び情報を表示する表示装置（５）を備えてなる携帯通信端末（２，３２）であって、
自機の位置を検出する自機位置検出手段（６，７）と、
前記所有者と共にグループを構成する他のメンバーの所持する携帯通信端末（２，３２）の位置情報であるメンバー位置情報を、前記通信装置（４）を介して取得する位置情報取得手段（６）と、
前記自機位置検出手段（６，７）の検出した自機位置情報及び前記位置情報取得手段（６）の取得したメンバー位置情報に基づき、前記表示装置（５）の画面上に、前記グループメンバーの各携帯通信端末（２，３２）の位置を地図と共に表示する共有位置情報表示処理を行う表示制御手段（６）と、
グループメンバーが集合する目的地を設定するための目的地設定部（１５）と、
前記グループメンバーの各携帯通信端末（２，３２）の位置から、前記目的地までの残存距離を算出する残存距離算出手段（６）とを備え、
前記表示制御手段（６）は、前記共有位置情報表示処理を行う際に、表示すべき各携帯通信端末（２，３２）を特定し、当該特定した携帯通信端末（２，３２）の位置を全て表示可能な所定の縮尺で前記地図を表示調整すると共に、
前記共有位置情報表示処理を行う際に、前記自機以外の表示すべき複数のメンバーの携帯通信端末（２，３２）が存在する場合に、前記目的地から最寄りの第２のメンバーの携帯通信端末（２，３２）の前記目的地までの残存距離に対し、別の第３のメンバーの携帯通信端末（２，３２）から該目的地までの残存距離が所定値よりも大きいときには、当該第３のメンバーの携帯通信端末（２，３２）の位置を表示対象から外す、或いは吹き出しによる表示又はリスト表示による別形態での表示を行うことを特徴とする携帯通信端末。
【請求項３】
前記表示制御手段（６）は、前記共有位置情報表示処理を行う際に、表示すべき携帯通信端末（２，３２）の位置をすべて含み、且つ、極力大きな縮尺になるように地図縮尺を調整することを特徴とする請求項１又は２記載の携帯通信端末。
【請求項４】
前記グループメンバーが集合する目的地の設定が可能であり、
前記表示制御手段（６）は、前記共有位置情報表示処理を行う際に、前記目的地或いは自機の位置を中心として、前記グループメンバーの各携帯通信端末（２，３２）の位置を地図と共に表示することを特徴とする請求項１から３のいずれか一項に記載の携帯通信端末。
【請求項５】
前記グループメンバーが集合する目的地の設定が可能であり、
前記表示制御手段（６）は、前記共有位置情報表示処理を行う際に、前記目的地及び自機の位置を含むように地図縮尺を調整することを特徴とする請求項１から４のいずれか一項に１記載の携帯通信端末。
【請求項６】
前記グループメンバーが集合する目的地の設定が可能であり、
前記グループメンバーの各携帯通信端末（２，３２）の移動速度を推定する速度推定手段（６）と、前記グループメンバーの各携帯通信端末（２，３２）の移動速度に基づいて、前記目的地への到着時間を算出する時間算出手段（６）を備え、
前記表示制御手段（６）は、前記共有位置情報表示処理を行う際に、前記目的地への到着時間が所定時間を越えると判断される携帯通信端末（２，３２）については、表示対象から外す、或いは吹き出しによる表示又はリスト表示による別形態での表示を行うことを特徴とする請求項１から５のいずれか一項に記載の携帯通信端末。
【請求項７】
前記表示制御手段（６）は、前記共有位置情報表示処理を行う際に、所定時間間隔で最新のメンバー位置情報を取得して表示を更新すると共に、表示すべき各携帯通信端末（２，３２）の位置を全て表示可能な所定の縮尺で前記地図を表示調整することを特徴とする請求項１から６のいずれか一項に記載の携帯通信端末。
【請求項８】
前記表示制御手段（６）は、前記共有位置情報表示処理を行う際に、所定時間間隔で最新のメンバー位置情報を取得して表示を更新すると共に、当該更新時に、表示している地図上から所定のメンバーが表示されなくなった場合に、当該メンバーの携帯通信端末（２，３２）の位置を表示対象から外す、或いは吹き出しによる表示又はリスト表示による別形態での表示を行うことを特徴とする請求項１から６のいずれか一項に記載の携帯通信端末。
【請求項９】
前記本体に対し他のデバイス（２２，３４）を接続する接続手段（９）を備え、
前記接続手段（９）により接続された接続デバイス（２２，３４）との連携が可能に構成されていることを特徴とする請求項１から８のいずれか一項に記載の携帯通信端末。
【請求項１０】
グループを構成する各メンバーが所持する携帯通信端末（２，３２）と、前記各携帯通信端末（２，３２）との間で通信可能な位置情報管理サーバ（３，３３）と、メンバーが乗車する車両に設けられ前記携帯通信端末（２，３２）と接続可能な車載装置（２２）とを備えた位置情報共有システム（２１，３１）であって、
前記携帯通信端末（２，３２）は、所有者により携帯可能な本体に、外部との通信を行う通信装置（４）及び情報を表示する表示装置（５）、前記車載装置（２２）と接続する接続手段（９）を備えると共に、
自機の位置を検出する自機位置検出手段（６，７）と、
前記自機位置検出手段（６，７）により検出された自機位置情報を前記通信装置（４）を介して前記位置情報管理サーバ（３，３３）に送信する送信手段（６）と、
前記グループを構成する他のメンバーの所持する携帯通信端末（２，３２）の位置情報であるメンバー位置情報を前記通信装置（４）を介して前記位置情報管理サーバ（３，３３）から取得する位置情報取得手段（６）と、
前記自機位置検出手段（６，７）の検出した自機位置情報及び前記位置情報取得手段（６）の取得したメンバー位置情報に基づき、前記表示装置（５）の画面上に、前記グループメンバーの各携帯通信端末（２，３２）の位置を地図と共に表示する共有位置情報表示処理を行う表示制御手段（６）と、
取得したメンバー位置情報を前記車載装置（２２）に転送する転送手段（６）とを備え、
前記位置情報管理サーバ（３，３３）は、
前記グループを構成する各メンバーの携帯通信端末（２，３２）から、それぞれの位置情報であるメンバー位置情報を通信により受信する受信手段（１３）と、
前記グループを構成する各携帯通信端末（２，３２）に対し、前記メンバー位置情報を送信する送信手段（１３）とを備え、
前記車載装置（２２）は、
車室内に設けられ自車位置を地図上に表示可能な車載表示装置（２３）と、
前記携帯通信端末（２，３２）と接続する接続手段（２６）と、
前記車載表示装置（２３）の画面上に、前記携帯通信端末（２，３２）から転送された自機位置及びメンバー位置情報に基づき、前記グループメンバーの各携帯通信端末（２，３２）の位置を地図と共に表示する共有位置情報表示処理を行わせる車載表示制御手段（２４）と、
前記自機位置とメンバー位置情報とから、自機と各メンバーの携帯通信端末（２，３２）との間の離間距離を夫々算出する離間距離算出手段とを備え、
前記車載表示制御手段（２４）は、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、
前記共有位置情報表示処理において、前記自機以外の表示すべき複数のメンバーの携帯通信端末（２，３２）が存在する場合に、当該自機と最寄りの第２のメンバーの携帯通信端末（２，３２）と間の離間距離に対し、自機と別の第３のメンバーの携帯通信端末（２，３２）との間の離間距離が所定値よりも大きいときには、当該第３のメンバーの携帯通信端末（２，３２）の位置を表示対象から外す、或いは吹き出しによる表示又はリスト表示による別形態での表示を行うことを特徴とする位置情報共有システム。
【請求項１１】
グループを構成する各メンバーが所持する携帯通信端末（２，３２）と、前記各携帯通信端末（２，３２）との間で通信可能な位置情報管理サーバ（３，３３）と、メンバーが乗車する車両に設けられ前記携帯通信端末（２，３２）と接続可能な車載装置（２２）とを備えた位置情報共有システム（２１，３１）であって、
前記携帯通信端末（２，３２）は、所有者により携帯可能な本体に、外部との通信を行う通信装置（４）及び情報を表示する表示装置（５）、前記車載装置（２２）と接続する接続手段（９）を備えると共に、
グループメンバーが集合する目的地を設定するための目的地設定部（１５）と、
自機の位置を検出する自機位置検出手段（６，７）と、
前記自機位置検出手段（６，７）により検出された自機位置情報を前記通信装置（４）を介して前記位置情報管理サーバ（３，３３）に送信する送信手段（６）と、
前記グループを構成する他のメンバーの所持する携帯通信端末（２，３２）の位置情報であるメンバー位置情報を前記通信装置（４）を介して前記位置情報管理サーバ（３，３３）から取得する位置情報取得手段（６）と、
前記自機位置検出手段（６，７）の検出した自機位置情報及び前記位置情報取得手段（６）の取得したメンバー位置情報に基づき、前記表示装置（５）の画面上に、前記グループメンバーの各携帯通信端末（２，３２）の位置を地図と共に表示する共有位置情報表示処理を行う表示制御手段（６）と、
取得したメンバー位置情報を前記車載装置（２２）に転送する転送手段（６）とを備え、
前記位置情報管理サーバ（３，３３）は、
前記グループを構成する各メンバーの携帯通信端末（２，３２）から、それぞれの位置情報であるメンバー位置情報を通信により受信する受信手段（１３）と、
前記グループを構成する各携帯通信端末（２，３２）に対し、前記メンバー位置情報を送信する送信手段（１３）とを備え、
前記車載装置（２２）は、
車室内に設けられ自車位置を地図上に表示可能な車載表示装置（２３）と、
前記携帯通信端末（２，３２）と接続する接続手段（２６）と、
前記車載表示装置（２３）の画面上に、前記携帯通信端末（２，３２）から転送された目的地、自機位置及びメンバー位置情報に基づき、前記グループメンバーの各携帯通信端末（２，３２）の位置を地図と共に表示する共有位置情報表示処理を行わせる車載表示制御手段（２４）と、
前記グループメンバーの各携帯通信端末（２，３２）の位置から、前記目的地までの残存距離を算出する残存距離算出手段（６）とを備え、
前記車載表示制御手段（２４）は、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、
前記共有位置情報表示処理を行う際に、前記自機以外の表示すべき複数のメンバーの携帯通信端末（２，３２）が存在する場合に、前記目的地から最寄りの第２のメンバーの携帯通信端末（２，３２）の前記目的地までの残存距離に対し、別の第３のメンバーの携帯通信端末（２，３２）から該目的地までの残存距離が所定値よりも大きいときには、当該第３のメンバーの携帯通信端末（２，３２）の位置を表示対象から外す、或いは吹き出しによる表示又はリスト表示による別形態での表示を行うことを特徴とする位置情報共有システム。
【請求項１２】
前記携帯通信端末（２，３２）においては、前記表示制御手段（６）は、前記共有位置情報表示処理を行わせる際に、前記表示装置（５）の画面における地図縮尺を、前記車載表示装置（２３）の画面とは独立して調整可能とされていることを特徴とする請求項１０又は１１記載の位置情報共有システム。
【請求項１３】
メンバーが乗車する車両に搭載され、車室内に設けられ自車位置を地図上に表示可能な車載表示装置（２３）と、前記携帯通信端末（２，３２）と接続する接続手段（２６）とを備え、請求項１０に記載の位置情報共有システム（２１，３１）を構成する車載装置（２２）であって、
前記車載表示装置（２３）の画面上に、前記携帯通信端末（２，３２）から転送された自機位置及びメンバー位置情報に基づき、前記グループメンバーの各携帯通信端末（２，３２）の位置を地図と共に表示する共有位置情報表示処理を行わせる車載表示制御手段（２４）と、
前記自機位置とメンバー位置情報とから、自機と各メンバーの携帯通信端末（２，３２）との間の離間距離を夫々算出する離間距離算出手段とを備え、
前記車載表示制御手段（２４）は、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、
前記共有位置情報表示処理において、前記自機以外の表示すべき複数のメンバーの携帯通信端末（２，３２）が存在する場合に、当該自機と最寄りの第２のメンバーの携帯通信端末（２，３２）と間の離間距離に対し、自機と別の第３のメンバーの携帯通信端末（２，３２）との間の離間距離が所定値よりも大きいときには、当該第３のメンバーの携帯通信端末（２，３２）の位置を表示対象から外す、或いは吹き出しによる表示又はリスト表示による別形態での表示を行うことを備える車載装置。
【請求項１４】
メンバーが乗車する車両に搭載され、車室内に設けられ自車位置を地図上に表示可能な車載表示装置（２３）と、前記携帯通信端末（２，３２）と接続する接続手段（２６）とを備え、請求項１１に記載の位置情報共有システム（２１，３１）を構成する車載装置（２２）であって、
前記車載表示装置（２３）の画面上に、前記携帯通信端末（２，３２）から転送された目的地、自機位置及びメンバー位置情報に基づき、前記グループメンバーの各携帯通信端末（２，３２）の位置を地図と共に表示する共有位置情報表示処理を行わせる車載表示制御手段（２４）と、
前記グループメンバーの各携帯通信端末（２，３２）の位置から、前記目的地までの残存距離を算出する残存距離算出手段（６）とを備え、
前記車載表示制御手段（２４）は、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、
前記共有位置情報表示処理を行う際に、前記自機以外の表示すべき複数のメンバーの携帯通信端末（２，３２）が存在する場合に、前記目的地から最寄りの第２のメンバーの携帯通信端末（２，３２）の前記目的地までの残存距離に対し、別の第３のメンバーの携帯通信端末（２，３２）から該目的地までの残存距離が所定値よりも大きいときには、当該第３のメンバーの携帯通信端末（２，３２）の位置を表示対象から外す、或いは吹き出しによる表示又はリスト表示による別形態での表示を行うことを特徴とする車載装置。
【請求項１５】
所有者により携帯可能な本体に、外部との通信を行う通信装置（４）及び情報を表示する表示装置（５）を備える携帯通信端末（２，３２）に組込まれたコンピュータ（６）に、共有位置情報表示の処理を実行させるためのプログラムであって、
前記プログラムは、前記コンピュータ（６）に、
自機の位置を検出させ、
前記所有者と共にグループを構成する他のメンバーの所持する携帯通信端末（２，３２）の位置情報であるメンバー位置情報を、前記通信装置（４）を介して取得させ、
前記自機位置とメンバー位置情報とから、自機と各メンバーの携帯通信端末（２，３２）との間の離間距離を夫々算出させ、
検出された自機位置情報及び取得したメンバー位置情報に基づき、前記表示装置（５）の画面上に、前記グループメンバーの各携帯通信端末（２，３２）の位置を地図と共に表示する共有位置情報表示処理を行わせ、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、前記自機以外の表示すべき複数のメンバーの携帯通信端末（２，３２）が存在する場合に、当該自機と最寄りの第２のメンバーの携帯通信端末（２，３２）と間の離間距離に対し、自機と別の第３のメンバーの携帯通信端末（２，３２）との間の離間距離が所定値よりも大きいときには、当該第３のメンバーの携帯通信端末（２，３２）の位置を表示対象から外させる、或いは吹き出しによる表示又はリスト表示による別形態での表示を行わせることを特徴とするプログラム。
【請求項１６】
所有者により携帯可能な本体に、外部との通信を行う通信装置（４）及び情報を表示する表示装置（５）を備える携帯通信端末（２，３２）に組込まれたコンピュータ（６）に、共有位置情報表示の処理を実行させるためのプログラムであって、
前記プログラムは、前記コンピュータ（６）に、
自機の位置を検出させ、
前記所有者と共にグループを構成する他のメンバーの所持する携帯通信端末（２，３２）の位置情報であるメンバー位置情報を、前記通信装置（４）を介して取得させ、
グループメンバーが集合する目的地を設定させ、
前記グループメンバーの各携帯通信端末（２，３２）の位置から、前記目的地までの残存距離を夫々算出させ、
検出された自機位置情報及び取得したメンバー位置情報に基づき、前記表示装置（５）の画面上に、前記グループメンバーの各携帯通信端末（２，３２）の位置を地図と共に表示する共有位置情報表示処理を行わせ、前記共有位置情報表示処理を行わせる際に、表示すべき各携帯通信端末（２，３２）を特定し、当該特定した携帯通信端末（２，３２）の位置を全て表示可能な所定の縮尺で前記地図を表示調整させると共に、前記自機以外の表示すべき複数のメンバーの携帯通信端末（２，３２）が存在する場合に、前記目的地から最寄りの第２のメンバーの携帯通信端末（２，３２）の前記目的地までの残存距離に対し、別の第３のメンバーの携帯通信端末（２，３２）から該目的地までの残存距離が所定値よりも大きいときには、当該第３のメンバーの携帯通信端末（２，３２）の位置を表示対象から外させる、或いは吹き出しによる表示又はリスト表示による別形態での表示を行わせることを特徴とするプログラム。
【手続補正２】
【補正対象書類名】明細書
【補正対象項目名】０００７
【補正方法】変更
【補正の内容】
【０００７】
上記目的を達成するために、本発明の携帯通信端末（２，３２）は、所有者により携帯可能な本体に、外部との通信を行う通信装置（４）及び情報を表示する表示装置（５）を備えてなるものであって、自機の位置を検出する自機位置検出手段（６，７）と、前記所有者と共にグループを構成する他のメンバーの所持する携帯通信端末（２，３２）の位置情報であるメンバー位置情報を、前記通信装置（４）を介して取得する位置情報取得手段（６）と、前記自機位置検出手段（６，７）の検出した自機位置情報及び前記位置情報取得手段（６）の取得したメンバー位置情報に基づき、前記表示装置（５）の画面上に、前記グループメンバーの各携帯通信端末（２，３２）の位置を地図と共に表示する共有位置情報表示処理を行う表示制御手段（６）と、前記自機位置とメンバー位置情報とから、自機と各メンバーの携帯通信端末（２，３２）との間の離間距離を夫々算出する離間距離算出手段（６）とを備え、前記表示制御手段（６）は、前記共有位置情報表示処理を行う際に、表示すべき各携帯通信端末（２，３２）を特定し、当該特定した携帯通信端末（２，３２）の位置を全て表示可能な所定の縮尺で前記地図を表示調整すると共に、前記共有位置情報表示処理において、前記自機以外の表示すべき複数のメンバーの携帯通信端末（２，３２）が存在する場合に、当該自機と最寄りの第２のメンバーの携帯通信端末（２，３２）と間の離間距離に対し、自機と別の第３のメンバーの携帯通信端末（２，３２）との間の離間距離が所定値よりも大きいときには、当該第３のメンバーの携帯通信端末（２，３２）の位置を表示対象から外す、或いは吹き出しによる表示又はリスト表示による別形態での表示を行うところに特徴を有する。